(57)【特許請求の範囲】
【請求項１】
複数個の基板パターンが描かれた処理基材の各基板パターンに接着剤を付着する接着剤付着工程と、接着剤が付着された箇所にチップを圧着する圧着工程とを備えたチップ実装方法において、
接着剤付着工程では、処理基材上の所定位置に描かれたマークである基材マークと、各基板パターン内の所定位置に描かれたマークである基板マークとをそれぞれ検出することにより、基材マークを基準とした各基板パターンの位置データを求めて、この位置データを圧着工程に与え、
圧着工程では、処理基材の基材マークを検出し、その検出結果と接着剤付着工程から与えられた位置データとに基づき各基板パターンの位置を認識して、各基板パターンにチップを圧着することを特徴とするチップ実装方法。
【請求項２】
請求項１に記載のチップ実装方法において、前記基材マークは、処理基材上の複数ヶ所に描かれているチップ実装方法。
【請求項３】
請求項２に記載のチップ実装方法において、前記基材マークは、処理基材上の四隅である４ヶ所に描かれているチップ実装方法。
【請求項４】
請求項１から請求項３のいずれかに記載のチップ実装方法において、前記圧着工程は、前記基板パターンに前記接着剤が付着された箇所に前記チップを位置決めして仮付けする仮圧着工程と、仮圧着されたそのチップを前記処理基材に接合する本圧着工程とに分かれており、少なくとも前記仮圧着工程で、前記処理基材の基材マークを検出するチップ実装方法。
【請求項５】
請求項４に記載のチップ実装方法において、前記本圧着工程でも、前記処理基材の基材マークを検出するチップ実装方法。
【請求項６】
複数個の基板パターンが描かれた処理基材の各基板パターンに接着剤を付着する接着剤付着ユニットと、接着剤が付着された箇所にチップを圧着する圧着ユニットとを備えたチップ実装装置において、
接着剤付着ユニットは、処理基材上の所定位置に描かれたマークである基材マークを検出する第１の基材マーク検出手段と、各基板パターン内の所定位置に描かれたマークである基板マークを検出する基板マーク検出手段と、前記両検出手段の検出結果から基材マークを基準とした各基板パターンの位置データを求める位置データ取得手段と、各基板パターンの位置データを圧着ユニットに与えるデータ授与手段とを備え、
圧着ユニットは、処理基材の基材マークを検出する第２の基材マーク検出手段と、この第２の基材マーク検出手段の検出結果および接着剤付着ユニットから与えられた位置データに基づき圧着ヘッドを各基板パターンに応じた位置に水平移動制御して、各基板パターンにチップを圧着させる圧着ヘッド駆動制御手段とを備えたことを特徴とするチップ実装装置。
【請求項７】
請求項６に記載のチップ実装装置において、前記基材マークは、処理基材上の複数ヶ所に描かれているチップ実装装置。
【請求項８】
請求項７に記載のチップ実装装置において、前記基材マークは、処理基材上の四隅である４ヶ所に描かれているチップ実装装置。
【請求項９】
請求項６に記載のチップ実装装置において、前記処理基材は、供給ロールから巻き取りロールに向けて搬送される連続した帯状のフィルム基材であるチップ実装装置。
【請求項１０】
請求項６に記載のチップ実装装置において、複数個の基板パターンが区画領域ごとにそれぞれ区画されており、前記処理基材は、区画領域ごとに分離されたプラスチック製基材，樹脂製基材，あるいはガラス製基材であるチップ実装装置。
【請求項１１】
請求項６から請求項１０のいずれかに記載のチップ実装装置において、前記チップとして、弾性または塑性変形可能なバンプが形成されたチップを用いるチップ実装装置。
【請求項１２】
請求項６から請求項１１のいずれかに記載のチップ実装装置において、
前記圧着ユニットは、処理基材を保持する保持テーブルの上面の各位置から圧着ヘッドの下面までの高さデータをそれぞれ記憶した記憶手段を備え、
前記圧着ヘッド駆動制御手段は、圧着ヘッドを下降させてチップを各基板パターンに圧着するときに、記憶手段に記憶された各位置の高さデータを参照して、圧着ヘッドの下降停止位置を保持テーブルの上面の各位置ごとに制御することにより、保持テーブルの上面の各位置から一定の高さ位置で圧着ヘッドを下降停止させるチップ実装装置。
【請求項１３】
請求項６から請求項１２のいずれかに記載のチップ実装装置において、前記第１の基材マーク検出手段と基板マーク検出手段とを兼用させて、兼用された検出手段は、前記基材マークと基板マークとを検出するチップ実装装置。
【請求項１４】
請求項６から請求項１３のいずれかに記載のチップ実装装置において、前記圧着ユニットは、前記チップ内の所定位置に描かれたマークであるチップマークを検出するチップマーク検出手段を備えたチップ実装装置。
【請求項１５】
請求項１４に記載のチップ実装装置において、前記圧着ユニットは、各チップをそれぞれ保持して接着剤が付着された箇所にそれらのチップをそれぞれ圧着する複数の圧着ヘッドを有する圧着ヘッド群を備え、前記チップマーク検出手段または圧着ヘッド群の少なくとも一方を移動させることで、チップマーク検出手段が圧着ヘッド群によってそれぞれ保持された各チップのチップマークを検出するように、チップマーク検出手段および圧着ヘッド群をそれぞれ構成するチップ実装装置。
【請求項１６】
請求項６から請求項１４のいずれかに記載のチップ実装装置において、前記接着剤付着ユニットは、処理基材の各基板パターンに接着剤をそれぞれ付着させる複数個の接着剤付着ヘッドを各基板パターンに合わせて備え、各々の接着剤付着ヘッドが各基板パターンに接着剤をそれぞれ同時に付着させるように、各接着剤付着ヘッドをそれぞれ構成するチップ実装装置。
【発明の詳細な説明】
技術分野
本発明は、複数個の基板パターンが描かれた処理基材上に半導体素子や表面実装部品などのチップを実装するためのチップ実装方法およびその装置に係り、特に処理基材の伸縮に起因した基板パターン相互の位置ずれを検出・補正してチップを高精度に実装する技術に関する。
背景技術
従来、例えばＩＣカードなどの実装工程では、処理基材としてプラスチック製のフィルム基材が用いられている。このフィルム基材の概略構成を第１１図に示す。第１１図はフィルム基材の一部を示した平面図である。フィルム基材１は帯状であって、その長手方向に実装工程での処理単位である区画領域２が連なって設定されている。各区画領域２には、１つのＩＣカードに対応した基板パターン３が縦横に一定ピッチで印刷されているとともに、各区画領域２の四隅に位置合わせ用のマーク４（以下、「基材マーク」と呼ぶ）が印刷されている。各基板パターン３はこれらの基材マーク４を基準として、その位置関係が定められている。実装工程では基材マーク４を検出し、これらの基材マーク４を基準として、予め決められた位置関係に基づき各基板パターン３の位置を認識し、各基板パターン３へチップを実装している。
実装工程は大きく分けて、各区画領域２ごとに、基板パターン３内の所定箇所に接着剤を付着させる接着剤付着工程と、接着剤が付着された箇所にチップを位置決めして仮付けする仮圧着工程と、仮圧着されたチップを基材に接合する本圧着工程とがある。仮圧着工程と本圧着工程を分けずに、接着剤が付着された箇所にチップを位置決めして直接に接合することもある。いずれにしても、各工程では、最初に区画領域２内の基材マーク４を検出し、この基材マーク４を基準として各基板パターン３の位置を認識して、接着剤の付着やチップの圧着を行っている。
しかしながら、上述した従来例によれば、次のような問題がある。
基材マーク４を基準として各基板パターン３が高精度に印刷されていても、温度や湿度の影響で処理基材が伸縮すると、基材マーク４と基板パターン３との相互の位置関係に誤差が生じ、その結果、チップ実装の精度が悪くなるという問題がある。特に、処理基材がプラスチック製のフィルム基材１である場合には、その傾向が顕著になる。同様の問題は、基板パターン３に印刷誤差がある場合にも生じる。このような問題解決のために、各工程で基板パターン３を検出することも考えられるが、そうすると装置のタクトタイムが遅くなるという別異の問題が生じる。
本発明は、上記の事情に鑑み、処理基材の伸縮に起因した基板パターン相互の位置ずれを検出・補正してチップを高精度に、かつ高速に実装することができるチップ実装方法およびその装置を提供することを目的とする。
発明の開示
本発明のチップ実装方法は、複数個の基板パターンが描かれた処理基材の各基板パターンに接着剤を付着する接着剤付着工程と、接着剤が付着された箇所にチップを圧着する圧着工程とを備えたチップ実装方法において、接着剤付着工程では、処理基材上の所定位置に描かれたマークである基材マークと、各基板パターン内の所定位置に描かれたマークである基板マークとをそれぞれ検出することにより、基材マークを基準とした各基板パターンの位置データを求めて、この位置データを圧着工程に与え、圧着工程では、処理基材の基材マークを検出し、その検出結果と接着剤付着工程から与えられた位置データとに基づき各基板パターンの位置を認識して、各基板パターンにチップを圧着することを特徴とするものである。
本発明に係るチップ実装方法によれば、処理基材に接着剤を付着する際に、処理基材の基材マークと各基板パターンの基板マークとを検出することにより、基材マークを基準とした各基板パターンの位置データを求める。この位置データは次の圧着工程に与えられる。圧着工程では、接着剤が付着された処理基材の基材マークを検出し、その検出結果と接着剤付着工程から与えられた位置データとに基づき各基板パターンの位置を認識して、各基板パターンにチップを圧着する。処理基材の基材マークを基準として各基板パターンの位置を認識し、各基板パターンにチップを実装するので、その結果、処理基材に伸縮が生じても、各基板パターンにチップを高精度に実装することができる。また、比較的に処理の速い、すなわち時間的に余裕のある接着剤付着工程で基材マークと基板マークとを検出し、圧着工程では基材マークのみを検出して、基板マークを検出せず、位置データを圧着工程に与えて利用しているので、圧着工程で各基板パターンの位置データを収集する場合と比べて、装置のタクトタイムを短くすることができる。また、位置データの収集に伴う処理効率の低下を最小限に抑えることができる。
また、本発明のチップ実装装置は、複数個の基板パターンが描かれた処理基材の各基板パターンに接着剤を付着する接着剤付着ユニットと、接着剤が付着された箇所にチップを圧着する圧着ユニットとを備えたチップ実装装置において、接着剤付着ユニットは、処理基材上の所定位置に描かれたマークである基材マークを検出する第１の基材マーク検出手段と、各基板パターン内の所定位置に描かれたマークである基板マークを検出する基板マーク検出手段と、前記両検出手段の検出結果から基材マークを基準とした各基板パターンの位置データを求める位置データ取得手段と、各基板パターンの位置データを圧着ユニットに与えるデータ授与手段とを備え、圧着ユニットは、処理基材の基材マークを検出する第２の基材マーク検出手段と、この第２の基材マーク検出手段の検出結果および接着剤付着ユニットから与えられた位置データに基づき圧着ヘッドを各基板パターンに応じた位置に水平移動制御して、各基板パターンにチップを圧着させる圧着ヘッド駆動制御手段とを備えたことを特徴とするものである。
本発明に係るチップ実装装置によれば、接着剤付着ユニットにおいて、第１の基材マーク検出手段が処理基材の基材マークを検出するとともに、基板マーク検出手段が各基板パターンの基板マークを検出する。これらの検出結果に基づき、位置データ取得手段が基材マークを基準とした各基板パターンの位置データを求める。データ授与手段はこの位置データを圧着ユニットに与える。圧着ユニットでは、第２の基材マーク検出手段が、接着剤付着ユニットから搬送された処理基材の基材マークを再度検出する。この検出結果と接着剤付着ユニットから与えられた位置データとに基づき、圧着ヘッド駆動制御手段は、圧着ヘッドを各基板パターンに応じた位置に水平移動制御して、各基板パターンにチップを圧着する。この装置の作用によって、本発明に係るチップ実装方法を好適に実施することができる。
本発明に係るチップ実装方法およびその装置の好ましい一例は、基材マークが処理基材上の複数ヶ所に描かれていることである。処理基材の基材マークが描かれる個数については、特に限定されず、例えば基材マークが処理基材の２ヶ所に描かれていても位置合わせが可能であるが、基材マークの検出精度を向上させ、チップの実装精度を向上させる上において、基材マークは処理基材上の四隅である４ヶ所に描かれているのが好ましい。基材の伸縮により台形や平行四辺形に変形した場合においても四隅を認識すれば、補正できるからである。
また、チップ実装装置に用いられる処理基材の一例は、供給ロールから巻き取りロールに向けて搬送される連続した帯状のフィルム基材である。帯状のフィルム基材は、比較的に伸縮の度合いが大きいが、このようなフィルム基材に対してもチップを高精度に実装することができる。また、処理基材の他の一例は、複数個の基板パターンが区画領域ごとにそれぞれ区画されており、その処理基材が、区画領域ごとに分離されたプラスチック製基材，樹脂製基材，あるいはガラス製基材である。
また、チップ実装装置に用いられるチップとして、好ましくは、弾性または塑性変形可能なバンプが形成されたチップを用いる。すなわち、チップ圧着時にバンプが弾性変形または塑性変形して圧着時の衝撃を和らげるので、衝撃に起因したチップの損傷を防止することができるとともに、圧着ヘッドの下降速度を速めて処理効率を向上させることもできる。
また、チップ実装装置は、次のように構成するのが好ましい。
すなわち、チップ実装装置において、前記圧着ユニットは、処理基材を保持する保持テーブルの上面の各位置から圧着ヘッドの下面までの高さデータをそれぞれ記憶した記憶手段を備え、前記圧着ヘッド駆動制御手段は、圧着ヘッドを下降させてチップを各基板パターンに圧着するときに、記憶手段に記憶された各位置の高さデータを参照して、圧着ヘッドの下降停止位置を保持テーブルの上面の各位置ごとに制御することにより、保持テーブルの上面の各位置から一定の高さ位置で圧着ヘッドを下降停止させるものである。
このように構成されたチップ実装装置によれば、圧着ヘッドが下降してチップを各基板パターンに圧着するときに、処理基材を保持する保持テーブルの上面の各位置から圧着ヘッドの下面までの高さデータが参照され、保持テーブルの上面の各位置で圧着ヘッドが一定の高さ位置で停止する。したがって、保持テーブルの上面にうねりや歪みなどの高低があっても、また、ヘッド移動ＸＹテーブルのうねりや歪があっても、圧着ヘッドの下降停止位置を一定の高さにすることができるので、チップや処理基材に過度の衝撃を与えることなくチップを実装することができるとともに、圧着ヘッドの下降速度を速めて処理効率を向上させることもできる。
発明を実施するための最良の形態
従来の問題点を解決するための形態として、以下のものがある。
本発明の一実施例について図面を参照しながら説明する。第１図は本発明の一実施例に係るチップ実装装置の概略構成を示した全体斜視図、第２図はフィルム基材の一部を示した平面図、第３図は仮圧着ヘッドの概略構成を示した一部破断側面図、第４図は実施例装置の制御系のブロック図である。
第１図に示すように、本実施例に係るチップ実装装置は、大きく分けて、装置基台１０と、この装置基台１０の一端側（第１図では左端）に配設された接着剤付着ユニット１１と、この接着剤付着ユニット１１の隣に配設された仮圧着ユニット１２と、装置基台１０の他端側（第１図では右端）に配設された本圧着ユニット１３とから構成されている。
第４図に示すように、本実施例装置の処理基材は供給ロール１４から巻き取りロール１５に向けて搬送される連続した帯状のフィルム基材１である。装置基台１０内には、その長手方向にフィルム基材１を下側から支持する保持テーブル１６が配設されている。この保持テーブル１６には、上記ユニット１１，１２，１３の各位置でフィルム基材１をテーブル上面に吸着保持する真空吸引機構（図示せず）が設けられている。また、フィルム基材１の搬送経路上には、フィルム基材１を案内するガイドローラ１７や、フィルム基材１を上下から挟持して搬送する駆動ローラ１８などが配設されている。また、フィルムをつかんで直線送りするグリップフィード方式でもよい。
第２図に示すように、フィルム基材１は、その長手方向に本実施例装置での処理単位である区画領域２が連なって設定されている。各区画領域２には、例えば１つのＩＣカードに対応した基板パターン３が縦横に一定ピッチで印刷されている。本実施例では、各区画領域２ごとに縦横に８個の基板パターン３が印刷されている。もちろん、基板パターン３の配置形態や個数は任意であり、実施例のものに限定されるものでない。各区画領域２の四隅である４ヶ所に位置合わせ用のマーク４（基材マーク）が印刷されているとともに、各基板パターン３の対角線上の２つの角部には、同じく位置合わせ用のマーク（基板マーク）５が印刷されている。なお、基材マーク４や基板マーク５の形態、配置位置、個数は上記実施例のものに限定されず、任意に設定することができる。
接着剤付着ユニット１１は、第１図に示すように、装置基台１０の幅方向（Ｘ方向）に架け渡されて、装置基台１０の長手方向（Ｙ方向）に移動する可動アーム１９を備えている。この可動アーム１９に、フィルム基材１の各基板パターン３内に接着剤を付着させる接着剤付着ヘッド２０と、フィルム基材１の基材マーク４および各基板パターン３の基板マーク５を検出するマーク検出用カメラ２１とが配設されている。接着剤付着ヘッド２０とマーク検出用カメラ２１とは一体となって可動アーム１９上をＸ方向に移動する。なお、可動アーム１９や接着剤付着ヘッド２０などの図示を省略した移動機構は、サーボモータで駆動される周知のネジ送り機構で構成されている。接着剤付着ヘッド２０とマーク検出用カメラ２１との間隔は調節可能になっており、本実施例では基板パターン３のＸ方向の配列ピッチに設定されている。なお、基板パターン３のピッチに合わせて複数個の接着剤付着ヘッド２０を配設し、各ヘッドを使った同時塗布によって、接着剤付着ユニット１１の処理効率を上げてもよい。
接着剤付着ヘッド２０は昇降自在であり、各基板パターン３内のチップ実装位置に接着剤を付着する。接着剤は実装の工法に応じて、導電性のペーストやフィルム、絶縁性のペーストやフィルム、アンダーフィル剤、さらにはフラックス等から選ばれる。本実施例において、接着剤は基材上で若干盛り上がるように付着される。
マーク検出用カメラ２１は、ＣＣＤカメラなどで構成されており、基材マーク４と基板マーク５との検出に兼用される。したがって、このマーク検出用カメラ２１は、本発明装置における第１の基材マーク検出手段と基板マーク検出手段とに相当する。もちろん、複数台のマーク検出用カメラを用いて、基材マーク４と基板マーク５とを個別に検出するようにしてもよい。
また、マーク検出用カメラ２１は、ＣＣＤカメラに限らず、例えば赤外線カメラ、Ｘ線カメラ、センサなど種類に関係なく基材マーク４や基板マーク５を認識することができる手段であればよい。
仮圧着ユニット１２は次のように構成されている。
装置基台１０の幅方向（Ｘ方向）に一対の固定アーム２２が対向して架け渡されており、この一対の固定アーム２２を跨ぐように可動アーム２３がＸ方向に移動可能に配設されている。この可動アーム２３に８個の仮圧着ヘッド２４が一体となってＹ方向に移動可能に配設されている。なお、可動アーム２３や仮圧着ヘッド２４の図示を省略した移動機構は、サーボモータで駆動される。移動機構は、ネジ送り，ベルト送り，リニアサーボなどいかなる方法でもよい。各仮圧着ヘッド２４の間隔は調節可能になっており、本実施例では基板パターン３のＹ方向の配列ピッチに設定されている。この仮圧着ヘッド２４は、本発明における圧着ヘッドに相当する。
第３図を参照して、仮圧着ヘッド２４の構成を説明する。
仮圧着ヘッド２４は、ＩＣチップなどの実装部品であるチップ６を吸着保持するチップ保持ツール２５と、このチップ保持ツール２５に所定値以上の圧力が加わった場合にその圧着を逃がす圧力制御機構２６と、チップ保持ツール２５を水平面内で回転変位させる回転機構２７と、チップ保持ツール２５の高さを制御する高さ制御機構２８とを備えている。
チップ保持ツール２５は、その下端にあるツールヘッド２９にチップ６を吸着保持するための機構や、チップ６を加熱するための加熱機構を備えている。なお、チップ６の保持構造は吸着式に限らず、可動ツメを使った機械式保持、静電気を使った静電吸着、磁石を使った磁気吸着など、任意の保持構造を用いることができる。また、接着剤の粘度を利用し仮圧着する場合には、加熱が不要な場合もある。
圧力制御機構２６は、エアーシリンダーチューブ３０と、これに内挿されたピストン３１からなるエアーシリンダー機構で構成され、ピストン３１の下端にチップ保持ツール２５が連結されている。ピストン３１は、上下直線軸受３２によって上下方向にのみ移動可能に支持されている。エアーシリンダーチューブ３０の上部には加圧ポート３３が開口されており、この加圧ポート３３から一定圧の加圧エアーが供給されている。エアーシリンダーチューブ３０の上端にはセンサ３４が取り付けられている。チップ６の上に誤って別のチップ６を圧着するなど、仮圧着ヘッド２４に強い衝撃が加わった場合に、ピストン３１が上方に逃げることにより、仮圧着ヘッド２４の破壊を防ぐとともに、このような異常な状態をセンサ３４で検出するようになっている。エアーシリンダーがバネで構成されている場合もある。
回転機構２７は次のように構成されている。エアーシリンダーチューブ３０がブラケット３５に固着支持され、このブラケット３５が鉛直方向の回転軸３６を介してスランダー３７に回転自在に支持されている。回転軸３６はスランダー３７に取り付けられたサーボモータ３８の出力軸に連結されている。このサーボモータ３８が駆動制御されることにより、チップ保持ツール２５が水平面内で任意に回転変位するようになっている。
高さ制御機構２８は次のように構成されている。スランダー３７の基端部は、フレーム３９によって回転自在に支持された鉛直方向の螺軸４０に螺合されているとともに、この螺軸４０に並設されたガイドレール４１に嵌合されて上下方向に案内されている。螺軸４０はフレーム３９の上端に取り付けられたサーボモータ４２の出力軸に連結されている。このサーボモータ４２が駆動制御されることにより、チップ保持ツール２５が上下方向に移動制御されるようになっている。複数ヘッドの場合は、連結ベルトにより複数ヘッドが同時にθ回転し、また、Ｚ軸により同時にＺ移動するように構成し、選択されたヘッドのみシリンダ加圧側エアーを入れ、その他ヘッドはシリンダ下部側エアーを入れることによりヘッドを浮かせておくこともできる。この場合軸数の省略も可能となる。
第１図に戻って、仮圧着ヘッド２４群のＸ方向の移動経路の一端側に、多数のチップ６を整列配置したチップトレイ４３が配設されている。チップ供給方法は、トレイ以外に粘着テープ上に貼り付けてリール状で供給されたり、ウエハで供給され、１チップずつ突き上げ、電極側を下側に反転させ整列させる方法などがある。このチップトレイ４３の傍らに、仮圧着ヘッド２４群で吸着保持された各チップ６のチップマークを検出するチップマーク検出用カメラ４４がＹ方向に移動自在に配設されている。このカメラ４４が各チップ６のチップマークを検出することにより、各仮圧着ヘッド２４で保持されたチップ６の位置ズレ量が求められ、この位置ズレ量を補正するように各仮圧着ヘッド２４がＸ，Ｙ，およびθ方向に移動制御される。なお、チップマーク検出用カメラ４４を固定し、仮圧着ヘッド２４群を移動させることにより、チップマークを検出してもよい。また、チップマーク検出用カメラ４４と仮圧着ヘッド２４群の両方を移動させれば、タクトタイムを短縮する上で好ましい。また、複数個のチップマーク検出用カメラ４４を用いてチップマークを検出すれば、一層、タクトタイムを短縮することもできる。なお、このチップマーク検出用カメラ４４は、本発明におけるチップマーク検出手段に相当する。
マーク検出用カメラ２１と同様に、チップマーク検出用カメラ４４は、ＣＣＤカメラに限らず、例えば赤外線カメラ、Ｘ線カメラ、センサなど種類に関係なく基材マーク４を認識することができる手段であればよい。
さらに、仮圧着ユニット１２には、上述した仮圧着ヘッド２４群と一体にＸ，Ｙ方向に移動する基材マーク検出用カメラ４５が配設されている。このカメラ４５は、仮圧着ユニット１２に搬送されてきたフィルム基材１の各区画領域２にある基材マーク４を検出し、その検出結果に基づいて各区画領域２の位置ズレ量が求められる。この基材マーク検出用カメラ４５は本発明装置における第２の基材マーク検出手段に相当する。なお、複数個の基材マーク検出用カメラ４５を、固定アーム２２などに固定設置して、各基材マーク４を検出するようにすれば、装置のタクトタイムを向上させる上で好ましい。
マーク検出用カメラ２１およびチップマーク検出用カメラ４４と同様に、基材マーク検出用カメラ４５は、ＣＣＤカメラに限らず、例えば赤外線カメラ、Ｘ線カメラ、センサなど種類に関係なく基材マーク４を認識することができる手段であればよい。
本圧着ユニット１３は、装置基台１０の幅方向（Ｘ方向）に架け渡されて、装置基台１０の長手方向（Ｙ方向）に移動する可動アーム４６を備えている。この可動アーム４６に、８個の本圧着ヘッド４７が一体となってＸ方向およびＺ（上下）方向に移動可能に配設されている。なお、可動アーム４６や本圧着ヘッド４７の図示を省略した移動機構は、サーボモータで駆動される。移動機構は、ネジ送り，ベルト送り，リニアサーボなどいかなる方法でもよい。各本圧着ヘッド４７の間隔は調節可能になっており、本実施例では基板パターン３のＸ方向の配列ピッチに設定されている。なお、本実施例では、仮圧着ヘッド２４群と本圧着ヘッド４７群とは互いに直交する方向に配列したが、これらは同方向に配列してもよい。なお、本圧着ユニット１３は、チップ６の接合手法に応じて適宜に構成されるものであり、例えばリフロー炉となる場合や、あるいは省略される場合もある。
次に上述した構成を備えたチップ実装装置の動作を第４図の制御ブロック図も参照して説明する。
フィルム基材１は、区画領域２の配列ピッチを単位としてピッチ送り搬送される。最初の区画領域２が接着剤付着ユニット１１に搬送されると、その区画領域２の部分が保持テーブル１６に吸着保持される。続いて、マーク検出用カメラ２１が接着剤付着ヘッド２０と一体となって、Ｘ，Ｙ方向に移動して、区画領域２内の基材マーク４と、各基板パターン３内の基板マーク５とをそれぞれ検出する。基材マーク４および基板マーク５の各検出結果は、接着剤付着ユニット１１の制御部４８に送られる。この検出結果に基づき、制御部４８は基材マーク４を基準とした各基板パターン３の位置データを求める。この制御部４８は、本発明装置における位置データ取得手段に相当する。
制御部４８は、各基板パターン３の基板マーク５が検出されるごとに、駆動部４９を介して接着剤付着ヘッド２０を駆動する。これにより各基板パターン３内の所定の実装個所に接着剤が付着される。区画領域２内の全ての基板パターン３に接着剤が付着されると、フィルム基材１がピッチ送りされて、接着剤が付着された区画領域２が仮圧着ユニット１２に搬送される。フィルム基材１の搬送に同期して、制御部４８は、送信部５０を介して、基材マーク４を基準とした各基板パターン３の位置データを仮圧着ユニット１２に送信する。送信部５０は本発明におけるデータ授与手段に相当する。
各基板パターン３の位置の認識が終わると（あるいは、位置認識の前に）、仮圧着ヘッド２４群がチップトレイ４３に向けて移動して、各ヘッド２４のツールヘッド２９の下面にチップ６をそれぞれ吸着保持する。チップ６を吸着保持すると、仮圧着ヘッド２４群はチップマーク検出用カメラ４４の上方にまで移動して停止する。続いて、カメラ４４がＹ方向に移動して、各ツールヘッド２９の下面に吸着保持されたチップ６のチップマークを検出し、その検出結果を制御部５１に送る。その検出結果に基づき、制御部５１は各ツールヘッド２９に吸着保持されたチップ６の位置を認識する。後述するチップ６の仮圧着時には、各チップ６の基板実装位置との位置ズレ量を補正するように、各仮圧着ヘッド２４のチップ保持ツール２５が駆動部５４を介してＸ，Ｙおよびθ方向に位置調整される。
各チップ６の位置の検出が終わると、仮圧着ヘッド２４群が水平移動して各基板パターン３上に移動する。そして、第１番目（例えば、第１図の左端）の仮圧着ヘッド２４のチップ保持ツール２５がＸ，Ｙおよびθ方向に位置修正された後に、チップ保持ツール２５が下降してチップ６を第１番目の基板パターン３上に仮圧着する。続いて、第２番目の仮圧着ヘッド２４のチップ保持ツール２５が同様に位置修正されたのちに、チップ６を第２番目の基板パターン３上に仮圧着する。このように仮圧着ヘッド２４を順に駆動して、チップ６を仮圧着してゆく。
仮圧着ユニット１２の動作は概ね上述のとおりであるが、本実施例装置は、さらに次のような特徴的な動作を行う。つまり、仮圧着ユニット１２は各ヘッド２４群ごとに、位置合わせを行った後にチップ６を仮圧着しているので、他のユニット１１，１３に比べて一つの区画領域２を処理するのに長い時間を要する。そのため、個々の仮圧着ヘッド２４の移動動作を速めて、処理効率を上げたいという要請があるが、チップ保持ツール２５の下降移動速度を速めると、チップ６が基板パターン３に接触したときの衝撃力が大きくなって、チップ６のバンプが潰れすぎるなどの問題を引き起こす。
また、保持テーブル１６は、その表面が極力平坦になるように製作および取り付けられてはいるが、広い範囲にわたって平坦にすることは容易ではなく、区画領域２内で僅かではあるが高低が生じる。このような場合に、各仮圧着ヘッド２４のチップ保持ツール２５の下降移動のストロークを一定にしておくと、区画領域２のある個所ではチップ６が基板パターン３に強く衝突して、バンプが潰れすぎ、また他の個所ではバンプの潰れが不充分になって、いずれの場合もバンプの接合不良を引き起こす。同様の問題は、各仮圧着ヘッド２４の取り付け高さにバラツキがある場合にも生じる。
本実施例装置は、上述のような各問題点を解消するために次のような構成を採っている。まず、仮圧着されるチップ６に備えられた構成について説明する。
本実施例で用いられるチップ６は、弾性または塑性変形可能なバンプ６ａを備えている。弾性または塑性変形可能なバンプ６ａとしては、導電性ペーストなどにより形成された、いわゆるポリマーバンプが好適である。ただし、ハンダバンプや，スタッドバンプ，メッキバンプ等であっても、硬度を落としたり、面積を小さくすれば、弾性または塑性変形可能な状態になるから、このようなバンプも適切な条件の採用によって使用可能である。
保持テーブル１６の上面の高さのバラツキや仮圧着ヘッド２４の取り付け高さのバラツキに起因した問題は、次の構成によって解決を図っている。以下、第５図，第６図を参照して説明する。第５図に示すように、保持テーブル１６の上面であって、例えば各基板パターン３が載置される個所Ｐ１，Ｐ２，Ｐ３，……において、保持テーブル１６の上面から各仮圧着ヘッド２４のツールヘッド２９の下面までの高さを予め測定しておく。そして、各仮圧着ヘッド２４ごとに得られた位置Ｐ１，Ｐ２，Ｐ３，……の高さデータＤ１，Ｄ２，Ｄ３，……を仮圧着ユニット１２に備えたメモリ５３に記憶しておく（第４図および第６図参照）。
仮圧着ユニット１２の制御部５１は、チップ６の仮圧着のために各仮圧着ヘッド２４のチップ保持ツール２５を順に下降移動させる際に、メモリ５３を参照して、基板パターン３の位置ごとの高さデータを読み出して、チップ保持ツール２５の下降移動の停止位置を制御する。具体的には、第５図に示すように、保持テーブル１６の上面から一定の高さＨの位置でチップ保持ツール２５が停止するように、例えば位置Ｐ１で仮圧着する場合には、チップ保持ツール２５を「Ｄ１−Ｈ」に相当する距離だけ下降させる。同様に、位置Ｐ２で仮圧着する場合には、「Ｄ２−Ｈ」に相当する距離だけ下降させる。このように各位置ごとにチップ保持ツール２５の下降移動量を制御することにより、チップ保持ツール２５を保持テーブル１６の上面から常に同じ高さ位置で停止させることができ、その結果、保持テーブル１６の平面度の誤差や仮圧着ヘッド２４の各ヘッドごとの取り付け高さの誤差、ヘッド移動ＸＹテーブルのうねりや歪などに起因したチップ６のバンプの潰れ過ぎを防止することができる。
第７図〜第１０図は、本実施例におけるチップ６の仮圧着過程を示した図である。以下、これらの図を参照して、仮圧着ユニット１２における仮圧着過程を詳しく説明する。
第７図〜第１０図において、符号１ａはフィルム基材１の各基板パターン３に形成された電極、７は接着剤付着ユニット１１で付着された接着剤である。接着剤は、例えばＮＣＰと呼ばれる樹脂でできている。まず、第７図に示すように、弾性または塑性変形可能なバンプ６ａを備えたチップ６がツールヘッド２９に吸着保持された状態で下降移動される。この下降移動は第３図に示した高さ制御機構２８によって行われる。
チップ６がフィルム基材１の表面接触すると、第８図および第９図に示すように、チップ６のバンプ６ａが弾性または塑性変形して、チップ６に加わる衝撃力を吸収し、チップ６に過度の力が加わらないようにする。また、前述の高さコントロールを行った上で、各チップごとの高さ誤差などをこのバンプの変形で吸収する。チップ６がフィルム基材１に押し付けられるとともに、接着剤７が水平方向に延びて、チップ６とフィルム基材１との間隙が接着剤７で満たされる。
予め決められたチップ保持ツール２５の停止位置Ｈまで、チップ６がさらに押し付けられると、第１０図に示すように、接着剤７がチップ６の側面にまではみ出してフィレット７ａが形成される。このようなフィレット７ａを形成することにより、チップ６をフィルム基材１に一層強固に接着固定することができる。
以上のようにして、区画領域２内の各基板パターン３にチップ６が仮圧着されると、フィルム基材１がピッチ送りされて、その区画領域２が次段の本圧着ユニット１３に搬送される。本圧着ユニット１３では、制御部５５が駆動部５６を介して、８個の本圧着ヘッド４７が同時に駆動する。具体的には、本圧着ヘッド４７群が同時に下降して、８個の基板パターン３ごとにチップ６が本圧着される。各基板パターン３内のチップ６が本圧着ヘッド４７で加熱・加圧されることにより、接着剤７が硬化されるとともに、バンプ６ａと電極１ａとの間で十分な電気的接合が図られる。なお、本圧着ユニット１３では、高精度の位置合わせを必要としないので、予め与えられている基板パターン３の配列ピッチに応じて本圧着ヘッド４７群をＸ，Ｙ方向に移動するようにしているが、仮圧着ユニット１２と同様に基材マーク４を検出して、フィルム基材１の位置ズレを修正するようにしてもよい。
本圧着ユニット１３でチップ６の本圧着が行われている間、仮圧着ユニット１２では次の区画領域２にチップ６が仮圧着され、また接着剤付着ユニット１１ではさらに次の区画領域２に接着剤７が付着されている。このように各ユニット１１，１２，１３は同時並行して各区画領域２に対して処理を行う。
以上のように本実施例装置によれば、各基板パターン３の位置を認識してチップ６を圧着しているので、プラスチック製のフィルム基材１のように、温度や湿度によって比較的に大きく伸縮する基材であっても、チップ６を高い精度に実装することができる。また、各基板パターン３の位置認識を処理効率の高い接着剤付着ユニット１１で行っているので、基板パターン３の位置認識によって仮圧着ユニット１２の処理効率が低下することがなく、チップ実装装置のタクトタイムの低下を最小限に抑えることができる。また、チップ６として弾性または塑性変形可能なバンプ６ａを備えたものを使用するとともに、保持テーブル１６の平坦度のバラツキに応じて各仮圧着ヘッド２４のチップ保持ツール２５の停止位置を制御しているので、バンプ６ａの過度の変形などを防止することができ、チップ６を高品位に実装することができる。
本発明は上述した実施例に限定されず、次のように変形実施することもできる。
（１）上記実施例では処理基材として、連続した帯状のフィルム基材１を用いたが、処理基材はこれに限らず、複数個の基板パターンが描かれた区画領域ごとに分離されたプラスチック製基材やガラス製基材などであってもよい。また、区画領域内の基板パターンの個数や配列形態も任意であり、例えば、本実施例の仮圧着ユニット１２や本圧着ユニット１３のように８連のヘッドを用いた場合、縦横に１６個、あるいは２４個の基板パターンを等ピッチに配列するようにしてもよい。もちろん、各ユニットのヘッド個数も任意であるが、複数個のヘッドを備える場合には、処理効率を上げるために、区画領域内の基板パターンの個数をヘッド個数に応じて設定するのが好ましい。
（２）上記実施例では各ユニット１１，１２，１３ごとに制御部４８，５１，５５を設けたが、各ユニット１１，１２，１３を単一の制御部で制御するようにしてもよい。この場合、接着剤付着ユニット１１で得られた各基板パターン３の位置データは、単一の制御部に付設されたメモリ内に一旦格納される。そして、接着剤が付着された区画領域２を接着剤付着ユニット１１から仮圧着ユニット１２へ移送するのと同期して、各基板パターン３の位置データを同じメモリ内の仮圧着ユニット用のワークエリアに転送する。仮圧着ユニット１２では、この転送された位置データに基づいて、各基板パターン３の位置を認識する。さらに、別の例として、各基板パターンの位置データを各ユニットが共有するメモリ内の特定領域に格納しておき、この特定領域を仮圧着ユニット１２の制御部５１がアクセスすることによって、各基板パターンの位置データを取得するようにしてもよい。この場合、位置データの転送が行われないことになる。また、個々の制御装置をライン管理する上位コンピュータと連結し、データの管理を行ってもよい。本発明におけるデータ授与手段は、上記のようなメモリ内のデータ転送や、各ユニットが共有するメモリ内の特定領域へアクセスする構成をも含むものである。
（３）上記実施例では処理効率を上げるために圧着ユニットを仮圧着ユニット１２と本圧着ユニット１３との２つのユニットに分割したが、チップの位置合わから本圧着までを一つの圧着ユニットで行うようにしてもよい。
（４）各ユニット１１，１２，１３の構成は適宜に変更実施可能であり、例えば、接着剤付着ユニット１１に複数個の接着剤付着ヘッド２０を備えてもよい。また、本圧着ユニット１３では本圧着ヘッド４７群を同時に駆動したが、各本圧着ヘッド４７ごとに平行移動制御や回転制御を行うとともに、各本圧着ヘッド４７ごとに下降させて本圧着を行うようにしてもよい。
（５）上記実施例では、仮圧着ヘッド２４の圧力制御機構２６をエアーシリンダー機構によって構成したが、チップ保持ツール２５を圧縮コイルバネなどの弾性体で支持することによって、チップ６がフィルム基材１に接触したときにチップ６に加わる衝撃力を緩和するようにしたバネ機構で構成してもよい。
（６）上記実施例では、実装は、チップを加熱して実装する、いわゆるチップボンディングであったが、実装については、例えば加熱を行わずにマウントするなどのように、特に限定されない。
産業上の利用可能性
以上のように、本発明に係るチップ実装方法およびその装置は、伸縮し易い処理基材上に半導体素子や表面実装部品などのチップを実装するのに適している。
【図面の簡単な説明】
第１図は、本発明に係るチップ実装装置の一実施例の概略構成を示す全体斜視図であり、
第２図は、フィルム基材の部分平面図であり、
第３図は、仮圧着ヘッドの概略構成図であり、
第４図は、実施例装置の制御ブロック図であり、
第５図は、保持テーブルの各位置に対応した高さデータの説明図であり、
第６図は、第５図の高さデータを記憶したメモリの模式図であり、
第７図は、仮圧着過程の説明図であり、
第８図は、仮圧着過程の説明図であり、
第９図は、仮圧着過程の説明図であり、
第１０図は、仮圧着過程の説明図であり、
第１１図は、従来装置で用いられるフィルム基材の説明図である。
【図１】
0003988878.tif 000002
【図２】
0003988878.tif 000003
【図３】
0003988878.tif 000004
【図４】
0003988878.tif 000005
【図５】
0003988878.tif 000006
【図６】
0003988878.tif 000007
【図７】
0003988878.tif 000008
【図８】
0003988878.tif 000009
【図９】
0003988878.tif 000010
【図１０】
0003988878.tif 000011
【図１１】
0003988878.tif 000012